(57)【要約】【課題】映像ファイルと音声ファイルとを独立してクリップとして記録した後、クリップ内の音声ファイルが削除または破壊された場合、これを復旧することができない。【解決手段】クリップ管理ファイル内に映像内音声データ識別フラグを有し、映像内音声データ識別フラグが有効であるときに、映像音声多重ファイルから音声データを取得し、音声ファイルを作成することで音声ファイル復旧させることができる。【選択図】図１
2005210457.tif 000002
【特許請求の範囲】
【請求項１】
映像データを入力する映像データ入力手段と、
音声データを入力する音声データ入力手段と、
前記映像データと前記音声データとを多重化して映像音声多重データを作成する映像音声多重化手段と、
前記映像音声多重データから映像音声多重ファイルを作成して記憶媒体に記録する映像音声多重ファイル作成手段と、
前記音声データから音声ファイルを作成して前記記憶媒体に記録する音声ファイル作成手段と、
少なくとも前記映像音声多重ファイル名と前記音声ファイル名と前記映像音声多重ファイル内の音声データが前記音声ファイル内の音声データと同じかどうかを識別する映像内音声データ識別フラグとが記録されたクリップ管理ファイルを作成して前記記憶媒体に記録するクリップ管理ファイル作成手段とを備え、
前記映像音声多重ファイル作成手段は、前記映像音声多重ファイル中の映像データが有効であることを示す属性情報をヘッダ情報として前記映像音声多重ファイルに記録し、
前記クリップ管理ファイル作成手段は、前記クリップ管理ファイル中の前記映像内音声データ識別フラグを有効にする映像音声記録再生装置。
【請求項２】
映像音声多重ファイルから音声データを抽出する音声データ抽出手段をさらに備え、
前記音声ファイル作成手段は、前記クリップ管理ファイル中の前記映像内音声データ識別フラグが有効であり且つ前記音声ファイルが読み出し不可能な場合に、前記音声データ抽出手段によって抽出された音声データから音声ファイルを作成して前記記憶媒体に記録する請求項１記載の映像音声記録再生装置。
【請求項３】
前記映像音声多重ファイルから映像データおよび音声データを分離して取得する映像音声分離手段と、
前記映像データおよび前記音声データを再生する再生手段とをさらに備え、
前記クリップ管理ファイル内の前記映像内音声データ識別フラグが有効であるときに、前記映像音声分離手段は前記映像音声多重ファイルから映像データおよび音声データを分離して取得し、前記再生手段は前記分離された映像データおよび音声データを再生する請求項１記載の映像音声記録再生装置。
【請求項４】
前記記憶媒体に記録された前記映像音声多重ファイルを書き換える映像音声多重ファイル書き換え手段と、
前記記憶媒体に記録された前記クリップ管理ファイルを書き換えるクリップ管理ファイル変更手段とをさらに備え、
前記クリップ管理ファイル内の前記映像内音声データ識別フラグが無効であり且つ前記音声ファイルが読み取り可能であるときには、前記映像音声多重ファイル書き換え手段が、前記記憶媒体から読み出した前記音声ファイル内の音声データを前記映像音声多重ファイルの音声データ領域にコピーするとともに、前記クリップ管理ファイル変更手段が前記クリップ管理ファイル中の前記映像内音声データ識別フラグを有効にする請求項１記載の映像音声記録再生装置。
【請求項５】
前記記憶媒体に記録された前記音声ファイルを書き換える音声ファイル更新手段と、
前記記憶媒体に記録された前記クリップ管理ファイルを書き換えるクリップ管理ファイル変更手段とをさらに備え、
音声アフレコ時には、前記音声ファイル作成手段が前記音声データ入力手段から入力された音声データから音声ファイルを作成し、前記音声ファイル更新手段が前記音声ファイルを記憶媒体に記録して更新し、前記クリップ管理ファイル変更手段は前記クリップ管理ファイル中の前記映像内音声データ識別フラグを無効にする請求項１記載の映像音声記録再生装置。
【発明の詳細な説明】
【技術分野】
【０００１】
本発明は、映像データおよび音声データをそれぞれ独立したファイルとして記録再生する映像音声記録再生装置に関する。
【背景技術】
【０００２】
従来、テープやディスク、半導体メモリ等に映像・音声を記録および再生する映像音声記録再生装置は、映像デ−タ部の一部を音声等の映像以外のデ−タに置き換えるとともに、置き換えを識別するための識別フラグを映像デ−タ中に挿入することにより、多重化された映像音声多重データを扱っている（例えば、特許文献１参照。）。
【０００３】
これに対し、映像・音声の編集機器などでは、同期して記録された映像ファイルと音声ファイルとを個別に管理しているものがある。そして、この管理方法をとる編集機器に対応するために、映像音声多重データを記録した映像音声多重ファイルを映像ファイルとして扱い、さらに音声ファイルを個別に記録および管理できる映像音声記録再生装置が使用されている。このような映像音声記録再生装置でこれらのファイルを管理する方法としては、映像ファイル名と音声ファイル名が記述された管理ファイルを用いる管理方法がある。
【特許文献１】特開平０１−３０９５８４号公報
【発明の開示】
【発明が解決しようとする課題】
【０００４】
しかしながら、このような従来の映像音声記録再生装置では、映像音声記録再生装置で映像ファイルと音声ファイルとを独立してクリップとして記録した後、クリップ内の音声ファイルが削除または破壊された場合、これを復旧することができないという問題点があった。また、音声アフレコなどにより音声ファイルのみ書き換えが生じた場合、映像音声多重ファイル中の音声データと音声ファイル中の音声データは同一でなくなる。このため、映像音声多重ファイルのみを扱う機器では、映像と音声とが別ファイルとして記録されたフォーマットの場合、映像音声多重ファイル内の音声データを再生してしまうため、音声ファイル内の音声データと矛盾した音声データが出力されるという問題点があった。
【課題を解決するための手段】
【０００５】
上記課題を解決するために本発明は、映像データを入力する映像データ入力手段と、音声データを入力する音声データ入力手段と、映像データと音声データとを多重化して映像音声多重データを作成する映像音声多重化手段と、映像音声多重データから映像音声多重ファイルを作成して記憶媒体に記録する映像音声多重ファイル作成手段と、音声データから音声ファイルを作成して記憶媒体に記録する音声ファイル作成手段と、少なくとも映像音声多重ファイル名と音声ファイル名と映像音声多重ファイル内の音声データが音声ファイル内の音声データと同じかどうかを識別する映像内音声データ識別フラグとが記録されたクリップ管理ファイルを作成して記憶媒体に記録するクリップ管理ファイル作成手段とを備え、映像音声多重ファイル作成手段は、映像音声多重ファイル中の映像データが有効であることを示す属性情報をヘッダ情報として映像音声多重ファイルに記録し、クリップ管理ファイル作成手段は、クリップ管理ファイル中の映像内音声データ識別フラグを有効にする構成としたものである。
【発明の効果】
【０００６】
本発明では、クリップ管理ファイル内に映像内音声データ識別フラグを有することにより、映像内音声データ識別フラグが有効であるときには、音声ファイルが削除または破壊された場合でも、映像音声多重ファイルから音声データを取得して音声ファイルを復旧させることができるという効果がある。
【０００７】
さらに音声ファイルを解釈しなくても映像音声多重ファイルから音声データを取得することにより音声データの再生も可能となる。また、音声アフレコなどにより音声ファイルのみ書き換えが生じても、映像音声多重ファイルのヘッダ情報に属性を映像データと明記してあるため、ファイル管理情報と再生される映像、音声データが矛盾しない。
【発明を実施するための最良の形態】
【０００８】
以下、本発明の実施の形態を、図面を参照しながら説明する。
【０００９】
（実施の形態１）
図１に、本発明の第１の実施の形態における映像音声記録装置内のあるクリップ管理ファイルと映像音声多重ファイルと音声ファイルの内容を示す。同図において、１００はクリップ管理ファイル、１１０は映像音声多重ファイル、１１１は映像音声多重ファイル１１０内にある映像データ、１１２、１１３は映像音声多重ファイル１１０内にある音声データ、１２０、１３０は音声ファイル、１２１は音声ファイル１２０内にある音声データ、１３１は音声ファイル１３０内にある音声データを示す。図２に映像音声記録再生装置のブロック図を示す。同図において、２００は映像音声記録再生装置全体、２０１は音声データ入力手段、２０２は音声ファイル作成手段、２０３は記憶媒体、２０４は映像データ入力手段、２０５は映像音声多重手段、２０６は映像音声多重ファイル作成手段、２０７はクリップ管理ファイルを作成するクリップ管理ファイル作成手段を示す。
【００１０】
クリップ管理ファイル１００には、映像音声多重ファイル名と音声ファイル名と映像内音声データ識別フラグが記録される。映像内音声データ識別フラグは映像音声多重ファイル１１０内の音声データＡ１１２と音声ファイル１２０内の音声データＡ１２１が等しく、かつ映像音声多重ファイル１１０内の音声データＢ１１３と音声ファイル１３０内の音声データＢ１３１が等しいかどうかを識別するフラグである。映像音声多重ファイル１１０には映像データと音声データの両方が記録される。
【００１１】
映像音声記録再生装置２００が記録を開始すると、音声データ入力手段２０１で入力された音声データから音声ファイル作成手段２０２が音声ファイル１２０、１３０を作成し、記憶媒体２０３に音声ファイル１２０、１３０を書き込む。同時に映像データ入力手段２０４で入力された映像データと音声データ入力手段２０１で入力された音声データを映像音声多重手段２０５が合成し、映像音声多重データを作成する。映像音声多重ファイル作成手段２０６は作成された映像音声多重データから映像音声多重ファイル１１０を作成し、記憶媒体２０３に映像音声多重ファイル１１０を書き込む。
【００１２】
例えば、映像音声多重ファイル１１０としてファイル名がＶｉｄｅｏ．ｍｘｆというファイル名で、ＤＩＦデータ（ＳＭＰＴＥ−３１４Ｍで規定された圧縮データ）を内蔵するＭＸＦファイルを作成し、音声ファイル１２０、１３０としてＡｕｄｉｏ１．ｍｘｆ、Ａｕｄｉｏ２．ｍｘｆというファイル名で、ＰＣＭデータを内蔵するＭＸＦファイルを作成した場合、映像データ１１１はＶｉｄｅｏ．ｍｘｆ内のＤＩＦデータの映像部分、音声データＡ１１２はＶｉｄｅｏ．ｍｘｆ内のＤＩＦデータの音声データの１ｃｈ部分、音声データＢ１１３はＶｉｄｅｏ．ｍｘｆ内のＤＩＦデータの音声データの２ｃｈ部分となる。
【００１３】
映像音声多重ファイル１１０内の音声データＡ１１２と音声ファイル１２０内の音声データＡ１２１は同じ音声データ入力手段２０１から作成されたものであるので、音声データ１１２と音声データ１２１は同じデータとなる。同様に、音声データＢ１１３と音声データＢ１３１も同じデータとなる。本実施の形態で映像音声多重ファイル、音声ファイルのファイルフォーマットの例にあげたＭＸＦファイルフォーマットは、１４０のようにＨｅａｄｅｒ部、Ｂｏｄｙ部、Ｆｏｏｔｅｒ部に分かれている。Ｈｅａｄｅｒ部にはＢｏｄｙ部の中身が映像データか音声データか映像音声多重データかを定義する属性情報などが記述されている。なお、ｈｅａｄｅｒ部の情報は、Ｂｏｄｙ部の中身としてどの情報が有効であるかを示すもので、実際にどのデータが含まれているのかを示すものではない。本実施の形態では、クリップ管理ファイル内の映像内音声データ識別フラグを解釈しない機器が映像音声多重ファイル１１０を再生した場合に音声データが出力されないようにするため、映像音声多重ファイル１１０のＨｅａｄｅｒ部の属性情報には映像データと定義する。
【００１４】
記録終了後、クリップ管理ファイル作成手段２０７はクリップ管理ファイル１００内の映像音声多重ファイル名、音声ファイル名を記録し、映像音声多重ファイル１１０内の音声データと音声ファイル１２０、１３０内の音声データが同じものであるので映像内音声データ識別フラグを有効にする。
【００１５】
このような構成を取る事により、クリップ管理ファイルを解釈する機器は、映像内音声データ識別フラグが有効であるときには音声ファイルを解釈せずに映像音声多重ファイルから音声データを取得することにより音声データの再生をすることも可能となる。また、音声アフレコ（実施の形態５で詳述）などにより音声ファイルのみ書き換えが生じた後でクリップ管理ファイルを解釈しない機器で映像音声多重ファイルを再生した場合でも、映像音声多重ファイルの属性情報が映像データになっているため映像音声多重化ファイルに多重化された音声データが再生されず、再生時に矛盾しない。
【００１６】
（実施の形態２）
図３に、本発明の第２の実施の形態における映像音声記録装置内のあるクリップ管理ファイルと映像音声多重ファイルと音声ファイルの内容を示す。同図において、３００はクリップ管理ファイル、３１０は映像音声多重ファイル、３１１は映像音声多重ファイル３１０内にある映像データ、３１２、３１３は映像音声多重ファイル３１０内にある音声データ、３２０、３３０は音声ファイル、３２１は音声ファイル３２０内にある音声データ、３３１は音声ファイル３３０内にある音声データであり記録後何らかの要因によって読み出し不可能になったものである。図４に、データ復旧後の音声ファイルの内容を示す。同図において、４２０、４３０は音声ファイル、４２１は音声ファイル４２０内にある音声データ、４３１は音声ファイル４３０内にある音声データである。図５に映像音声記録再生装置のブロック図を示す。同図において、５００は映像音声記録再生装置全体、５０１は音声ファイル復旧命令入力手段、５０２はクリップ管理ファイル読み出し手段、５０３は記憶媒体、５０４は映像内音声データ識別フラグ読み出し手段、５０５は映像音声多重ファイル読み出し手段、５０６は音声データ抽出手段、５０７は音声ファイル作成手段を示す。
【００１７】
映像音声記録再生装置５００内で映像音声が記録されると、第1の実施の形態で示したように、映像データに音声データが多重化されて映像音声多重ファイルとして記録され、クリップ管理ファイル内の映像内音声データ識別フラグが有効となる。本実施の形態では、映像音声の記録後に何らかの要因によって音声ファイル３２０、３３０内の音声データが読み出し不可能になり、記憶媒体５０３内に、クリップ管理ファイル３００、映像音声多重ファイル３１０、音声ファイル３２０、３３０が記憶されているものとする。このような状態にあるなかで音声ファイルを復旧する場合を考える。
【００１８】
ユーザは音声ファイル復旧命令入力手段５０１に復旧命令を入力する。復旧命令取得後、クリップ管理ファイル取得手段５０２は記憶媒体５０３からクリップ管理ファイル３００を取得する。映像内音声データ識別フラグ読み出し手段５０４は取得されたクリップ管理ファイル３００から映像内音声データ識別フラグを取得し、映像内音声データ識別フラグが有効であるならば、映像音声多重ファイル読み出し手段５０５に映像音声多重ファイル取得命令を送る。映像音声多重ファイル読み出し手段５０５は映像音声多重ファイル取得命令を受けて、記憶媒体５０３から映像音声多重ファイル３１０を読み出し、音声データ抽出手段５０６に映像音声多重ファイル３１０を送る。音声データ抽出手段５０６は映像音声多重ファイル３１０から音声データＡ３１２、音声データＢ３１３を抽出する。音声ファイル作成手段５０７は音声データ抽出手段５０６から抽出された音声データＡ３１２をコピーして音声データＡ４２１を作成し、音声データＢ３１３をコピーして音声データＢ４３１を作成する。音声データＡ４２１、音声データＢ４３１作成後、音声データが読み出し不可能な音声ファイル３２０、３３０を削除し、音声ファイル３２０と同じファイル名で音声ファイル４２０を作成し、音声ファイル３３０と同じファイル名で音声ファイル４３０を作成する。
【００１９】
このような構成を取る事により、音声ファイル内の音声データが読み出し不可能になった場合や、あやまって音声ファイルが削除された場合でも、映像音声多重ファイルから音声ファイルを復旧することができる。
【００２０】
本実施の形態では、音声ファイル３２０、３３０内の音声データが読み出し不可能になった場合を記述したが、音声ファイル３２０、３３０が誤って削除された場合も同様に復旧することが可能である。
【００２１】
また、音声ファイルの復旧はユーザが指定するようにしたが、一定時間毎や音声ファイルへのアクセスが発生した時点等のタイミングで、音声ファイルが読み出し不可能（または削除されている）かどうかを判別し、読み出し不可能であれば上記のように音声ファイルを復旧するようにしてもよい。
【００２２】
なお、音声データ抽出手段５０６は、映像音声多重ファイル中の映像データと音声データを分離して抽出する映像音声分離手段として構成してもよい。
【００２３】
（実施の形態３）
図１に、本発明の第３の実施の形態における映像音声記録装置内のあるクリップ管理ファイルと映像音声多重ファイルと音声ファイルの内容を示す。同図において、各部の説明は既出であるので省略する。図６に映像音声記録再生装置のブロック図を示す。同図において、６００は映像音声記録再生装置全体、６０１はクリップ管理ファイル読み出し手段、６０２は記憶媒体、６０３は映像内音声データ識別フラグ読み出し手段、６０４は映像音声多重ファイル読み出し手段、６０５は映像音声分離手段、６０６は映像データ再生手段、６０７は音声データ再生手段を示す。
【００２４】
音声ファイル読み出し手段がない映像音声記録再生装置６００において、クリップ管理ファイル１００で管理されている映像データ、音声データを再生する場合を考える。
【００２５】
ユーザから再生命令があるとクリップ管理ファイル取得手段６０１は記憶媒体６０２からクリップ管理ファイル１００を取得する。映像内音声データ識別フラグ読み出し手段６０３はクリップ管理ファイル１００内にある映像内音声データ識別フラグを読み出し、映像内音声データ識別フラグが有効であれば、映像音声多重ファイル読み出し手段６０４にフラグ有効を指示する。映像音声多重ファイル読み出し手段６０４は、記憶媒体６０２から映像音声多重ファイル１１０を取得し、映像音声分離手段６０５にフラグ有効を指示する。映像音声分離手段６０５はフラグ有効であるので、映像データ１１１を映像データ再生手段６０６に送り、音声データＡ１１２、音声データＢ１１３を音声データ再生手段６０７に送り、映像データ、音声データ両方の再生を開始する。また、映像内音声データ識別フラグ読み出し手段６０３はクリップ管理ファイル１００内にある映像内音声データ識別フラグを読み出し、映像内音声データ識別フラグが無効であれば、映像音声多重ファイル読み出し手段６０４にフラグ無効を指示する。映像音声多重ファイル読み出し手段６０４は、記憶媒体６０２から映像音声多重ファイル１１０を取得し、映像音声分離手段６０５にフラグ無効を指示する。映像音声分離手段６０５はフラグ無効であるので、映像データ１１１だけを映像データ再生手段６０６に送り、音声データ再生手段６０７にはデータを送らずに、映像データのみ再生を開始する。
【００２６】
このような構成を取る事により、音声ファイルを読み出す手段がないときにでも、クリップ管理ファイルの映像内音声データ識別フラグが有効な場合には、映像音声多重ファイルから音声データを取得して再生することができる。
【００２７】
（実施の形態４）
図７に、本発明の第４の実施の形態における映像音声記録装置内のあるクリップ管理ファイルと映像音声多重ファイルと音声ファイルの内容を示す。同図において、７００はクリップ管理ファイル、７１０は映像音声多重ファイル、７１１は映像音声多重ファイル７１０内にある映像データ、７１２、７１３は映像音声多重ファイル７１０内にある音声データ、７２０、７３０は音声ファイル、７２１は音声ファイル７２０内にある音声データ、７３１は音声ファイル７３０内にある音声データを示す。図８に、映像音声多重ファイル書き換え命令終了後のクリップ管理ファイルと映像音声多重ファイルの内容を示す。同図において、８００はクリップ管理ファイル、８１０は映像音声多重ファイル、８１１は映像音声多重ファイル８１０内にある映像データ、８１２、８１３は映像音声多重ファイル７１０内にある音声データを示す。図９に映像音声記録再生装置のブロック図を示す。同図において、９００は映像音声記録再生装置全体、９０１は映像音声多重ファイル書き換え命令入力手段、９０２はクリップ管理ファイル読み出し手段、９０３は記憶媒体、９０４は映像内音声データ識別フラグ読み出し手段、９０５は映像音声多重ファイル読み出し手段、９０６は音声ファイル読み出し手段、９０７は音声データ抽出手段、９０８は映像音声多重ファイル書き換え手段、９０９はクリップ管理ファイル変更手段を示す。
【００２８】
本実施の形態では、映像音声記録再生装置９００内で映像音声記録後に音声アフレコなどの編集作業によって音声ファイルが書き換えられ、記憶媒体９０３内に、クリップ管理ファイル７００、映像音声多重ファイル７１０、音声ファイル７２０、７３０が記憶されているものとする。
【００２９】
このような状態にあるなかで、音声ファイル読み出し手段がない機器でも矛盾なく再生できるようにするために、映像音声多重ファイル７１０を書き換えて音声データの同期をとる場合を考える。
【００３０】
ユーザは映像音声多重ファイル書き換え命令入力手段９０１に書き換え命令を入力する。書き換え命令取得後、クリップ管理ファイル取得手段９０２は記憶媒体９０３からクリップ管理ファイル７００を取得する。映像内音声データ識別フラグ読み出し手段９０４は取得されたクリップ管理ファイル７００から映像内音声データ識別フラグを取得する。取得した映像内音声データ識別フラグが無効であり且つ音声ファイル７２０、７３０が読み出し可能であれば、映像音声多重ファイル読み出し手段９０５に映像音声多重ファイル取得命令を、音声ファイル読み出し手段９０６に音声ファイル取得命令を送る。映像音声多重ファイル読み出し手段９０５は映像音声多重ファイル取得命令を受けて、記憶媒体９０３から映像音声多重ファイル７１０を読み出し、音声ファイル読み出し手段９０６は記憶媒体９０３から音声ファイル７２０、７３０を読み出す。音声ファイル７２０、７３０読み出し後、音声データ抽出手段９０７に音声ファイル７２０から音声データＣ７２１を抽出し、音声ファイル７３０から音声データＤ７３１を抽出する。映像音声多重ファイル書き換え手段９０８は映像音声多重ファイル読み出し手段９０５で読み出された映像音声多重ファイル７１０の音声データ領域に音声データ抽出手段９０７で抽出された音声データＣ７２１と音声データＤ７３１を上書きし、映像音声多重ファイル８１０を作成する。映像音声多重ファイル８１０を作成後、クリップ管理ファイル変更手段９０９はクリップ管理ファイル７００の映像内音声データ識別フラグを書き換えて有効とし、記憶媒体９０３に書き換えられたクリップ管理ファイル８００を記録する。
【００３１】
このような構成を取る事により、音声アフレコなどの編集作業によって音声ファイルを変更した後に、音声ファイル読み出し手段がない機器にデータを移動しても矛盾なく再生することが可能になる。
【００３２】
なお、本実施の形態では、音声データの同期はユーザが指定するようにしたが、一定時間毎に音声ファイルの書き換えをチェックし、書き換えが発生していれば上記のように音声データの同期をとるようにしてもよい。また、音声ファイルの書き換えが発生した時点で、同様に音声データの同期をとるようにしてもよい。音声ファイルが書き換えられたかどうかについては、例えば、音声ファイルが存在しており、かつ、クリップ管理ファイル上で映像内音声データ識別フラグが無効となっているときに音声ファイルが書き換えられたと判別することができる。
【００３３】
（実施の形態５）
図１に、本発明の第５の実施の形態における映像音声記録装置内のあるクリップ管理ファイルと映像音声多重ファイルと音声ファイルの内容を示す。同図において、各部の説明は既出であるので省略する。また、映像音声多重ファイル１１０の属性には映像データと明記されてある。図７に、音声アフレコ終了後のクリップ管理ファイルと映像音声多重ファイルと音声ファイルの内容を示す。同図において、各部の説明は既出であるので省略する。図１０に映像音声記録再生装置のブロック図を示す。同図において、１０００は映像音声記録再生装置全体、１００１はクリップ管理ファイル読み出し手段、１００２は記憶媒体、１００３は音声ファイル作成手段、１００４は音声データ入力手段、１００５は映像内音声データ識別フラグ読み出し手段、１００６はクリップ管理ファイル変更手段、１００７は音声ファイル更新手段を示す。
【００３４】
映像音声記録再生装置１０００内でクリップの状態が図１のようになっているときに、音声アフレコによって音声ファイル１２０、１３０を書き換える場合を考える。
【００３５】
音声アフレコが開始されるとクリップ管理ファイル読み出し手段１００１が記憶媒体１００２からクリップ管理ファイル１００を読み出し、音声ファイル作成手段１００３に作成する音声ファイル名を通知する。音声ファイル作成手段１００３は通知された音声ファイル名のファイルＡｕｄｉｏ１．ｍｘｆ、Ａｕｄｉｏ２．ｍｘｆを、もともとある音声ファイル１２０、１３０が記録されているディレクトリと異なるディレクトリに作成する。音声ファイル作成後、音声データ入力手段１００４から入力された音声データを音声ファイルに記録する。
【００３６】
音声アフレコが発生すると、映像音声多重ファイル内の音声データと音声ファイル中の音声データとが異なったデータとなる、すなわち同期がとれていない状態となる。したがって、音声アフレコ終了後、映像内音声データ識別フラグ読み出し手段１００５はクリップ管理ファイル１００から映像内音声データ識別フラグを読み出す。ここでは映像内音声データ識別フラグが有効になっているので、映像内音声データ識別フラグを無効と変更し、それ以降映像音声多重ファイル内の音声データを再生しないようにする。そして、クリップ管理ファイル１００の更新をクリップ管理ファイル変更手段１００６に通知する。クリップ管理ファイル変更手段１００６は変更されたクリップ管理ファイル７００を記憶媒体１００２に書き込む。また、音声ファイル更新手段１００７は作成した音声ファイル７２０、７３０をもともとある音声ファイル１２０、１３０が記録されているディレクトリにコピーし、音声ファイルの更新を行う。更新後のクリップの状態は図７のようになる。
【００３７】
このような構成を取る事により、音声アフレコなどにより音声ファイルのみ書き換えが生じても、映像音声多重ファイルのヘッダ情報に属性を映像データと明記し、映像内音声データ識別フラグを無効としている。したがって、音声ファイル読み出し手段をもつ機器で映像データ、音声データを再生すると、映像音声多重ファイル中に音声データが存在するかどうかにかかわらず、音声ファイル中の音声データが再生されるので、ユーザの意図通りに編集後の最新の音声データが再生される。すなわち、ファイル管理情報と再生される映像、音声データとが矛盾することがない。
【産業上の利用可能性】
【００３８】
本発明にかかる映像音声記録再生装置におけるファイル管理方法は、映像音声多重ファイル内の音声データが音声ファイルと同じかどうかを判断する機能を有し、効率的に音声データの復旧を行う際に有用である。
【図面の簡単な説明】
【００３９】
【図１】本発明の第１、第３、第５の実施の形態のクリップ管理ファイル、映像音声多重ファイル、音声ファイル、ＭＸＦファイル構造の説明図
【図２】本発明の第１の実施の形態の映像記録再生装置のブロック図
【図３】本発明の第２の実施の形態のクリップ管理ファイル、映像音声多重ファイル、音声ファイルの説明図
【図４】本発明の第２の実施の形態の音声ファイルの説明図
【図５】本発明の第２の実施の形態の映像記録再生装置のブロック図
【図６】本発明の第３の実施の形態の映像記録再生装置のブロック図
【図７】本発明の第４、第５の実施の形態のクリップ管理ファイル、映像音声多重ファイル、音声ファイルの説明図
【図８】本発明の第４の実施の形態のクリップ管理ファイル、映像音声多重ファイルの説明図
【図９】本発明の第４の実施の形態の映像記録再生装置のブロック図
【図１０】本発明の第５の実施の形態の映像記録再生装置のブロック図
【符号の説明】
【００４０】
１００  クリップ管理ファイル
１１０  映像音声多重ファイル
１１１  映像データ
１１２、１１３  映像音声多重ファイル内の音声データ
１２０、１３０  音声ファイル
１２１、１３１  音声ファイル内の音声データ
１４０  ＭＸＦファイル構造
２００  映像音声記録再生装置全体
２０１  音声データ入力手段
２０２  音声ファイル作成手段
２０３  記憶媒体
２０４  映像データ入力手段
２０５  映像音声多重手段
２０６  映像音声多重ファイル作成手段
２０７  クリップ管理ファイル作成手段
３００  クリップ管理ファイル
３１０  映像音声多重ファイル
３１１  映像データ
３１２、３１３  映像音声多重ファイル内の音声データ
３２０、３３０  音声ファイル
３２１、３３１  読み出し不可能な音声ファイル内の音声データ
４２０、４３０  音声ファイル
４２１、４３１  音声ファイル内の音声データ
５００  映像音声記録再生装置全体
５０１  音声ファイル復旧命令入力手段
５０２  クリップ管理ファイル取得手段
５０３  記憶媒体
５０４  映像内音声データ識別フラグ読み出し手段
５０５  映像音声多重ファイル読み出し手段
５０６  音声データ抽出手段
５０７  音声ファイル作成手段
６００  映像音声記録再生装置全体
６０１  クリップ管理ファイル取得手段
６０２  記憶媒体
６０３  映像内音声データ識別フラグ読み出し手段
６０４  映像音声多重ファイル読み出し手段
６０５  映像音声分離手段
６０６  映像データ再生手段
６０７  音声データ再生手段
７００  クリップ管理ファイル
７１０  映像音声多重ファイル
７１１  映像データ
７１２、７１３  映像音声多重ファイル内の音声データ
７２０、７３０  音声ファイル
７２１、７３１  音声ファイル内の音声データ
８００  クリップ管理ファイル
８１０  映像音声多重ファイル
８１１  映像データ
８１２、８１３  映像音声多重ファイル内の音声データ
９００  映像音声記録再生装置全体
９０１  映像音声多重ファイル書き換え命令入力手段
９０２  クリップ管理ファイル取得手段
９０３  記憶媒体
９０４  映像内音声データ識別フラグ読み出し手段
９０５  映像音声多重ファイル読み出し手段
９０６  音声ファイル読み出し手段
９０７  音声データ抽出手段
９０８  映像音声多重ファイル書き換え手段
９０９  クリップ管理ファイル変更手段
１０００  映像音声記録再生装置全体
１００１  映像音声多重ファイル読み出し手段
１００２  記憶媒体
１００３  音声ファイル作成手段
１００４  音声データ入力手段
１００５  映像内音声データ識別フラグ読み出し手段
１００６  クリップ管理ファイル変更手段
１００７  音声ファイル更新手段
【図１】
2005210457.tif 000003
【図２】
2005210457.tif 000004
【図３】
2005210457.tif 000005
【図４】
2005210457.tif 000006
【図５】
2005210457.tif 000007
【図６】
2005210457.tif 000008
【図７】
2005210457.tif 000009
【図８】
2005210457.tif 000010
【図９】
2005210457.tif 000011
【図１０】
2005210457.tif 000012